(57)【要約】  【課題】  結露が生じた場合であっても迅速に使用可能状態にすることができる記録／再生装置を提供する。  【解決手段】  光ディスク２６が収容され、収容された光ディスク２６へ対物レンズ１８からレーザー光を投射する記録／再生装置において、結露除去の実行を決定した場合、結露除去の停止を決定するまで、対物レンズ１８からレーザー光を投射させる制御部１０と、結露除去の実行を決定したことにより、対物レンズ１８から光を投射させる場合、収容された光ディスク２６と対物レンズ１８との間にフィルタ１６を配置するフィルタ移動部１４とを備える。【選択図】      図１
2006127613.tif 000002
【特許請求の範囲】
【請求項１】
ディスク状記録媒体の収容部、及び、該収容部に収容されたディスク状記録媒体へ対物レンズを透過させて光を投射する光投射手段を備える記録／再生装置において、
結露を検出する結露センサと、
該結露センサが結露を検出した場合、結露除去の実行を決定する決定手段と、
該決定手段が結露除去の実行を決定した場合、前記光投射手段を制御して光を投射させる投射制御手段と
を備えることを特徴とする記録／再生装置。
【請求項２】
前記決定手段が結露除去の実行を決定したことにより、前記光投射手段を制御して光を投射させる場合、前記収容部に収容されたディスク状記録媒体と前記対物レンズとの間にフィルタを配置するフィルタ配置手段を備えることを特徴とする請求項１記載の記録／再生装置。
【請求項３】
前記フィルタは拡散フィルタであることを特徴とする請求項２記載の記録／再生装置。
【請求項４】
ディスク状記録媒体の収容部、該収容部に収容されたディスク状記録媒体へ対物レンズを透過させて光を投射する光投射手段、及び、前記対物レンズを移動させる移動手段を備える記録／再生装置において、
結露を検出する結露センサと、
該結露センサの結露検出に基づく結露除去の実行を決定する決定手段と、
該決定手段が結露除去の実行を決定した場合、前記移動手段を制御して対物レンズを移動させる移動制御手段と
を備えることを特徴とする記録／再生装置。
【請求項５】
前記収容部に収容されたディスク状記録媒体を回転させる回転手段を備えており、
前記決定手段が結露除去の実行を決定した場合、前記回転手段を制御してディスク状記録媒体を回転させる回転制御手段を備えることを特徴とする請求項１乃至４の何れかひとつに記載の記録／再生装置。
【請求項６】
前記光投射手段が前記収容部に収容されたディスク状記録媒体へ投射した光の反射光に基づいて、前記ディスク状記録媒体に記録されているデータを認識する認識手段を備えており、
前記決定手段は、前記認識手段がディスク状記録媒体に記録されているデータを認識した場合、結露除去の停止を決定するように構成してあることを特徴とする請求項１乃至５の何れかひとつに記載の記録／再生装置。
【請求項７】
結露除去を実行してからの経過時間を計時する計時手段を備え、
前記決定手段は、前記計時手段が計時する計時時間が所定時間に達した場合、結露除去の停止を決定するように構成してあることを特徴とする請求項１乃至５の何れかひとつに記載の記録／再生装置。
【発明の詳細な説明】
【技術分野】
【０００１】
本発明は、ディスク状記録媒体の収容部、及び、該収容部に収容されたディスク状記録媒体へ対物レンズを透過させて光を投射する光投射手段を備える記録／再生装置に関する。
【背景技術】
【０００２】
収容されたＤＶＤ（Digital Versatile Disk）などの光ディスクに対するデータの読出（再生）又は書込（記録）を行うディスク装置（記録／再生装置）を、低温環境から高温環境に移動させた場合、又は、ディスク装置が設置されている室温が低温から高温に変化した場合、装置内の各部及び光ディスクに結露が生じる場合がある。
【０００３】
結露対策として結露センサを備えるディスク装置もある。このようなディスク装置は、結露センサが結露を検知した場合、例えば６０分間などの規定時間の間、操作を受付けなくなる。または、結露センサが結露を検知しない状態に回復するまで、操作を受付けなくなる。
【０００４】
また、光ディスクではないが、結露センサが結露を検知した場合、内部のハードディスクを回転させ、結露除去の促進を図るハードディスク装置も提案されている（例えば、特許文献１参照）。
【特許文献１】特開２００２−１５７８７３号公報
【発明の開示】
【発明が解決しようとする課題】
【０００５】
結露が生じた場合、光ディスクに投射される光の経路に悪影響を及ぼし、光ディスクに対する読出／書込が行えなくなり、ユーザは結露が除去されるまで使用不能になるため、結露を迅速に除去することが望まれている。
【０００６】
本発明は斯かる事情に鑑みてなされたものであり、結露除去の実行を決定する決定手段と、結露除去の実行を決定した場合、光投射手段から光を投射させる投射制御手段とを備えることにより、結露が生じた場合であっても迅速に使用可能状態にすることができる記録／再生装置を提供することを目的とする。
【０００７】
また、本発明は、結露除去の実行が決定されたことにより、光投射手段から光を投射させる場合、収容された光ディスクと対物レンズとの間にフィルタを配置するフィルタ配置手段を備えることにより、光投射手段から光ディスクへ投射される光によるデータの消去又は破壊を防止できる記録／再生装置を提供することを他の目的とする。
【０００８】
また、本発明は、前記フィルタが拡散フィルタであることにより、光ディスクの結露を迅速に除去することができる記録／再生装置を提供することを他の目的とする。
【０００９】
また、本発明は、結露除去の実行を決定する決定手段と、結露除去の実行を決定した場合、対物レンズを移動させる移動制御手段とを備えることにより、結露が生じた場合であっても迅速に使用可能状態にすることができる記録／再生装置を提供することを他の目的とする。
【００１０】
また、本発明は、結露除去の実行が決定された場合、光ディスクを回転させる回転制御手段を備えることにより、結露が生じた場合であっても迅速に使用可能状態にすることができる記録／再生装置を提供することを他の目的とする。
【００１１】
また、本発明は、収容された光ディスクに記録されているデータを認識する認識手段を備え、該認識手段が光ディスクに記録されているデータを認識した場合に結露除去の停止を決定するように構成してあることにより、結露による使用不可状態からの復帰を迅速に行うことができる記録／再生装置を提供することを他の目的とする。
【００１２】
また、本発明は、結露除去を実行してからの経過時間を計時する計時手段を備え、該計時手段が計時する経過時間が所定時間に達した場合に結露除去の停止を決定するように構成してあることにより、結露による使用不可状態からの復帰を確実に行うことができる記録／再生装置を提供することを他の目的とする。
【課題を解決するための手段】
【００１３】
本発明に係る記録／再生装置は、ディスク状記録媒体の収容部、及び、該収容部に収容されたディスク状記録媒体へ対物レンズを透過させて光を投射する光投射手段を備える記録／再生装置において、結露を検出する結露センサと、該結露センサが結露を検出した場合、結露除去の実行を決定する決定手段と、該決定手段が結露除去の実行を決定した場合、前記光投射手段を制御して光を投射させる投射制御手段とを備えることを特徴とする。
【００１４】
本発明に係る記録／再生装置は、前記決定手段が結露除去の実行を決定したことにより、前記光投射手段を制御して光を投射させる場合、前記収容部に収容されたディスク状記録媒体と前記対物レンズとの間にフィルタを配置するフィルタ配置手段を備えることを特徴とする。
【００１５】
本発明に係る記録／再生装置は、前記フィルタは拡散フィルタであることを特徴とする。
【００１６】
本発明に係る記録／再生装置は、ディスク状記録媒体の収容部、該収容部に収容されたディスク状記録媒体へ対物レンズを透過させて光を投射する光投射手段、及び、前記対物レンズを移動させる移動手段を備える記録／再生装置において、結露を検出する結露センサと、該結露センサの結露検出に基づく結露除去の実行を決定する決定手段と、該決定手段が結露除去の実行を決定した場合、前記移動手段を制御して対物レンズを移動させる移動制御手段とを備えることを特徴とする。
【００１７】
本発明に係る記録／再生装置は、前記収容部に収容されたディスク状記録媒体を回転させる回転手段を備えており、前記決定手段が結露除去の実行を決定した場合、前記回転手段を制御してディスク状記録媒体を回転させる回転制御手段を備えることを特徴とする。
【００１８】
本発明に係る記録／再生装置は、前記光投射手段が前記収容部に収容されたディスク状記録媒体へ投射した光の反射光に基づいて、前記ディスク状記録媒体に記録されているデータを認識する認識手段を備えており、前記決定手段は、前記認識手段がディスク状記録媒体に記録されているデータを認識した場合、結露除去の停止を決定するように構成してあることを特徴とする。
【００１９】
本発明に係る記録／再生装置は、結露除去を実行してからの経過時間を計時する計時手段を備え、前記決定手段は、前記計時手段が計時する計時時間が所定時間に達した場合、結露除去の停止を決定するように構成してあることを特徴とする。
【００２０】
本発明においては、結露センサが結露を検出し、決定手段が結露除去の実行を決定した場合、投射制御手段の制御により、光照射手段から光を投射させる。対物レンズが結露した場合、光ディスクなどのディスク状記録媒体へ正常な光（レーザー光）を投射することはできないが、光照射手段から光を投射し続けることにより、光が透過する対物レンズが暖められ、結露の除去が促進される。対物レンズの結露を迅速に除去し、結露が生じた場合であっても迅速に使用可能にすることができる。
【００２１】
本発明においては、結露除去の実行が決定されたことにより、光投射手段から光を投射させる場合、フィルタ配置手段により、収容された光ディスクと対物レンズとの間にフィルタが配置される。光ディスクへ光（レーザー光）を投射する際、高出力なほど、結露を早く除去できるが、光ディスクに記録されているデータを消去又は破壊するおそれもある。例えば遮光フィルタを、光ディスクと対物レンズとの間に配置した場合、光投射手段から投射される光により、データが消去又は破壊されることを防止できる。または、反射フィルタを、光ディスクと対物レンズとの間に配置した場合、光投射手段から投射された光を反射して対物レンズに照射し、反射光で対物レンズを暖めて、結露の除去を促進することができる。
【００２２】
本発明においては、前記フィルタは拡散フィルタであり、光投射手段から投射されたレーザー光は、拡散フィルタによって拡散され、拡散光が光ディスクへ照射される。光ディスクは拡散光によって暖められ、光ディスクの結露を迅速に除去することができる。なお、光ディスクに照射されるのは拡散光であるため、光ディスクに記録されているデータが消去又は破壊されるおそれはない。
【００２３】
本発明においては、決定手段が結露除去の実行を決定した場合、移動制御手段の制御により、対物レンズを移動させる。対物レンズを移動させることにより、対物レンズ周辺に風を生じさせると共に、相対的に対物レンズに風があたることになり、対物レンズの結露の除去を促進することができる。対物レンズの結露を迅速に除去し、結露が生じた場合であっても迅速に使用可能状態にすることができる。
【００２４】
本発明においては、決定手段が結露除去の実行を決定した場合、回転制御手段の制御により、光ディスクを回転させる。光ディスクを回転させることにより、光ディスク周辺に風を生じさせると共に、光ディスクを回転させるモータの発熱が生じることになり、光ディスク周辺の対物レンズの結露の除去を促進することができる。対物レンズの結露を迅速に除去し、結露が生じた場合であっても迅速に使用可能状態にすることができる。
【００２５】
本発明においては、収容された光ディスクに記録されているデータを認識する認識手段が光ディスクに記録されているデータを認識した場合に、決定手段が結露除去の停止を決定する。データの認識は、ＤＶＤ−ＲＯＭなどに記録されているデータを認識することは勿論、ＤＶＤ−Ｒなどにデータが記録されていないこと（記録可能なメディアであることを表す識別データ）を認識することも含む。なお、結露除去の停止は、結露センサを用いて検出することも可能であるが、光ディスクに記録されているデータが認識できる状態になれば、結露除去の停止を決定しても問題はない。例えば装置内の結露が完全に除去されていない場合であっても、光の経路部分の結露が除去されていれば、光ディスクのデータの読出／書込を問題なく行える。光ディスクに記録されているデータを認識した場合に結露除去の停止を決定することにより、結露による使用不可状態からの復帰を迅速に行うことができる。
【００２６】
本発明においては、結露除去を開始してからの経過時間を計時手段で計時し、計時している経過時間が所定時間に達した場合、決定手段が結露除去の停止を決定する。前記所定時間は、例えば結露除去に必要な標準的な時間であり、結露による使用不可状態からの復帰を確実に行うことができる。
【発明の効果】
【００２７】
本発明によれば、結露が生じた場合であっても迅速に使用可能状態にすることができる。
【００２８】
本発明によれば、結露除去用に光投射手段から投射される光によって、光ディスクに記録されているデータが消去又は破壊されることを防止できる。
【００２９】
本発明によれば、対物レンズ及び光ディスクの結露を迅速に除去することができる。
【００３０】
本発明によれば、結露による使用不可状態からの復帰を迅速に行うことができる。
【００３１】
本発明によれば、結露による使用不可状態からの復帰を確実に行うことができる。
【発明を実施するための最良の形態】
【００３２】
以下、本発明をその実施の形態を示す図面に基づいて具体的に説明する。
図１は本発明に係るディスク装置（記録／再生装置）の例を示すブロック図である。ディスク装置は、収容部３０に収容された光ディスク（ディスク状記録媒体）２６を回転させるディスクモータ（回転手段）２４と、光ディスク２６へ対物レンズ１８を透過させて光（レーザー光）を投射するヘッド（光投射手段）２０と、光ディスク２６から読出（再生）されたデータ又は光ディスク２６へ書込む（記録する）データの処理などを行うデータ処理部２８と、ヘッド２０を移動させるヘッド駆動部（移動手段）２２と、対物レンズ１８及び光ディスク２６間にフィルタ１６を移動させるフィルタ移動部１４と、対物レンズ１８付近の結露を検出する結露センサ１２と、結露センサ１２，フィルタ移動部１４，ヘッド駆動部２２、ディスクモータ２４及びデータ処理部２８に接続され、夫々の制御を行う制御部１０とを備える。
【００３３】
制御部１０は、結露除去の実行／停止を決定する手段（決定手段）として動作する。制御部１０は、結露センサ１２が結露を検出した場合、結露除去の実行を決定する。また、データ処理部２８は、ヘッド２０から光ディスク２６に投射された光の反射光に基づいて、光ディスク２６に記録されているデータを認識する手段（認識手段）として動作し、制御部１０は、データ処理部２８が光ディスク２６に記録されているデータを認識したことに基づいて結露除去の停止を決定する。なお、データの認識は、ＤＶＤ−ＲＯＭに記録されているデータを認識したり、ＤＶＤ−Ｒなどにデータが記録されていないこと（書込可能なメディアであることを表す識別データ）を認識する。
【００３４】
制御部１０は、結露除去の実行を決定した場合、ヘッド２０を制御して、結露除去の停止を決定するまで、ヘッド２０（対物レンズ１８）から光を投射させる手段（投射制御手段）として動作する。また、フィルタ移動部１４は、制御部１０が結露除去の実行を決定したことにより、ヘッド２０から光を投射させる場合、制御部１０の制御により、光ディスク２６と対物レンズ１８との間にフィルタ１６を一時的に配置する手段（フィルタ配置手段）として動作する。ここで、フィルタ１６は拡散フィルタであり、ヘッド２０から投射されたレーザー光は、フィルタ１６で拡散され、拡散された光が光ディスク２６に照射される。
【００３５】
また、制御部１０は、結露除去の実行を決定した場合、結露除去の停止を決定するまで、ヘッド駆動部２２を制御して、ヘッド２０（対物レンズ１８）を移動させる手段（移動制御手段）として動作する。また、制御部１０は、結露除去の実行を決定した場合、結露除去の停止を決定するまで、ディスクモータ２４を制御して、光ディスク２６を回転させる手段（回転制御手段）として動作する。
【００３６】
制御部１０は、結露センサ１２から結露検出信号を受付けた場合、結露除去処理を開始する。図２は結露除去処理の例を示すフローチャートである。制御部１０は、結露センサ１２から結露検出信号を受付けたことにより、結露除去処理を開始（Ｓ１２）する。詳しくは、制御部１０は、フィルタ移動部１４を制御してフィルタ１６を光ディスク２６及び対物レンズ１８間に配置させた後、ヘッド２０を制御して対物レンズ１８を透過して光（レーザー光）を投射させる。図３はヘッド２０から投射された光の例を示す概念図である。図３（ａ）に示すように、ヘッド２０から投射された光Ｌ１は、フィルタ１６により拡散され、拡散光Ｌ２が光ディスク２６に照射される。また、制御部１０は、ヘッド駆動部２２を制御してヘッド２２を往復移動させると共に、ディスクモータ２４を制御して光ディスク２６を回転させる。
【００３７】
光Ｌ１を投射することにより、対物レンズ１８は暖められ、結露の除去が促進される。また、フィルタ１６で拡散された光Ｌ２が光ディスク２６に照射されることにより、光ディスク２６は暖められ、結露の除去が促進される。また、フィルタ１６により、ヘッド２０から投射されたレーザー光が光ディスク２６にダメージを与えることを防止できる。さらに、ヘッド２０が往復移動することにより、ヘッド２０周辺に風が生じると共に、相対的に対物レンズ１８に風があたることになるため、対物レンズ１８の結露の除去が促進される。また、光ディスク２６の回転により、光ディスク２６周辺に風が生じ、対物レンズ１８の結露の除去が促進されると共に、相対的に光ディスク２６に風があたることになるため、光ディスク２６の結露の除去が促進される。
【００３８】
結露除去処理の開始後、所定時間経過した場合（Ｓ１４：ＹＥＳ）、制御部１０は、データ処理部２８を制御して、光ディスク２６のデータの認識を行う。データの認識が可能な場合（Ｓ１６：ＹＥＳ）、制御部１０は、光ディスク２６及び対物レンズ１８間のフィルタ１６を取除くなどして、結露除去処理を終了する（Ｓ１８）。データの認識が不可能な場合（Ｓ１６：ＮＯ）、制御部１０は結露除去処理を継続し、以後同様に、所定時間経過する（Ｓ１４：ＹＥＳ）都度、データの認識を試みる。
【００３９】
本発明に係るディスク装置は、携帯型の撮像装置に搭載したり、携帯型又は据置型の音楽プレーヤ又は映像プレーヤに搭載したり、携帯型又は据置型の記録装置として用いることが可能である。また、光ディスクは、ＤＶＤなどの光ディスクに限定はされず、光（レーザー光）を用いるＭＯ（Magneto-Optical）ディスクなどの光磁気ディスクであってもよい。
【００４０】
また、上述した実施の形態においては、結露発生時に、対物レンズからの光投射、対物レンズ（ヘッド）の移動、及び、光ディスクの回転を行ったが、少なくとも一つを行うことも可能である。また、結露発生時の光ディスク２６の回転は、任意に組合わせることが可能である。
【００４１】
また、上述した実施の形態においては、フィルタ１６で拡散した光を光ディスク２６に照射したが、フィルタ１６として遮光フィルタを用いたり、反射フィルタを用いることも可能である。反射フィルタを用いた場合は、図３（ｂ）に示すように、ヘッド２０から投射された光Ｌ１はフィルタ１６で反射し、反射光Ｌ３が対物レンズ１８を照射し、対物レンズ１８を暖めて結露除去を促進する。また、遮光フィルタを用いる場合は、図３（ｃ）に示すように、ヘッド２０から投射された光Ｌ１はフィルタ１６で吸収される。
【００４２】
また、上述した実施の形態においては、光ディスクのデータが認識可能になったことより、結露除去の停止を決定したが、結露センサ１２の結露非検出に基づいて結露除去の停止を決定したり、結露除去を実行してからの経過時間を制御部（計時手段）１０で計時し、経過時間が所定時間に達した場合に結露除去の停止を決定することも勿論可能である。また、結露センサ１２は、光ディスク２６の出入口周辺に配置することも可能である。
【図面の簡単な説明】
【００４３】
【図１】本発明に係るディスク装置の例を示すブロック図である。
【図２】結露除去処理の例を示すフローチャートである。
【図３】ヘッドから投射された光の例を示す概念図である。
【符号の説明】
【００４４】
１０  制御部
１２  結露センサ
１４  フィルタ移動部
１６  フィルタ
１８  対物レンズ
２０  ヘッド
２２  ヘッド駆動部
２４  ディスクモータ
２６  光ディスク
【図１】
2006127613.tif 000003
【図２】
2006127613.tif 000004
【図３】
2006127613.tif 000005